(57)【特許請求の範囲】
【請求項１】
円筒形貯槽の側壁の上部を覆うドーム形状の屋根の周縁近傍の側壁上部に設けた屋根歩廊であって、該屋根歩廊は、前記側壁上部に水平方向に設けた屋根側に位置する可動床体と、該可動床体に隣接し水平方向に設けた固定床体と、該固定床体の外周縁に立設した手摺とから形成され、前記可動床体は前記固定床体の端部の回転支軸に回動自在に取付け、積雪時において該可動床体を上方に向けて回転移動するときは該可動床板を斜めの状態で手摺に支持固定し、該可動床板の裏面に反射面を形成し、かつ前記可動床体と固定床体を支える支持架台を側壁で固定支持するとともに、上記可動床体を回転移動させたときにできる側壁からの隙間は、屋根上に積もった雪が通過可能な間隔で、かつ人が容易に通り抜けができない間隔に形成した空隙であり、さらに屋根上の中央部に散水用の配管を設置したことを特徴とする屋根歩廊。
【請求項２】
上記可動床体を設けてなる屋根歩廊は、屋根上の中央部及び側壁外周の上部近傍に散水用の配管が設置され、該側壁外周の上部近傍に設置された散水用の配管の水は屋根の接線方向に向けて噴出するように設置したことを特徴とする請求項１記載の屋根歩廊。
【発明の詳細な説明】
【０００１】
【発明の属する技術分野】
この発明は、液体や低温液化ガス、粉体、粒状物などの各種貯蔵物を貯蔵する貯槽等構造物の屋根周縁に沿って設ける屋根歩廊に関するものである。
【０００２】
【従来の技術】
図８は、平底円筒形貯槽の事例を示すもので、円筒形状の側壁３２上部を覆うドーム形状の屋根３１周縁に沿って、従来の屋根歩廊３３が設けられている。この歩廊３３は、人がその上を歩く略水平な床板３４と、その床板３４を支える支持架台３５と、その床板３４の外周縁に沿って垂直に立設された手摺３６とから形成されている。なお、この床板３４は、細かい格子のグレーチング、滑り止め付き板のチェッカードプレート、滑り止めが施された平板などで形成されている。また手摺３６は、パイプ材や形鋼材よりなる上部手摺り、帯板材やアングル材よりなる中段さく、及び帯状材やアングル材よりなる足止め板の水平部材と、これらの水平部材を連結する形鋼材やパイプ材よりなる手摺り柱の垂直部材とから組枠状に形成されている。
【０００３】
図９は、ドーム形状の屋根３１上の中央部に設けた屋根散水管３８と、側壁３２の上部近傍に設けた側壁散水管４０とからなる散水設備を有する平底円筒形貯槽の事例であり、この貯槽の屋根３１周縁に沿って、上記のような従来の歩廊３３を設けたものである。上記屋根散水管３８は屋根３１上面に散水し、上記側壁散水管４０は側壁３２外表面に散水して、火災発生時の消火用、温度上昇防止の冷却用などに使用される散水装置である。
【０００４】
【発明が解決しようとする課題】
図８に示す従来の屋根歩廊３３を設けた貯槽においては、図の矢印に示すように、屋根３１上に降った雪３７が、傾斜した屋根３１上面を滑って外周方向に移動してきても、歩廊３３の略水平な床板３４上に溜まってしまう上に、さらに、歩廊３３の床板３４の外周縁に垂直に立設された組枠状の手摺３６にも遮られてしまうため、雪３７は歩廊３３を乗り越えて外周方向に落ちることが難しかった。なお、この手摺３６の組枠間隔は、安全性を配慮して間隔を狭くすればする程、雪３７が落ち難くなるという弊害もあった。このように、貯槽の屋根３１上及び歩廊３３上に積もった雪３７は、屋根３１周縁に沿って設けられた歩廊３３上に溜り、かつ手摺３６に遮られて貯槽の周囲に落ち難い構造となっていた。
【０００５】
上記のように、屋根３１上及び歩廊３３上から貯槽の周囲に雪３７が落ち難いために、屋根３１の構成部材の屋根板及び屋根骨は、積雪荷重に耐えられる剛強度にする必要があり、また、床板３４と支持架台３５と手摺３６とからなる歩廊３３も、上記溜った積雪荷重に耐えられる構成部材を用いて頑強にする必要があった。そして、この積もった雪３７を屋根３１上及び歩廊３３上から落とすために、危険を伴う高所作業が必要となる場合も生じていた。
【０００６】
図９に示す散水設備を有する貯槽に従来の屋根歩廊３３を設けたものでは、図の実線矢印に示すように、屋根散水管３８から放出された水３９は、屋根３１上面には散水されるが、上記歩廊３３の水平な床板３４に遮られて、側壁３２から離れて外側に広がってしまうため、側壁３２の外表面は濡らすことができない。そこで、図の破線矢印に示すように、歩廊３３下部の側壁３２にも散水されるように側壁３２上部近傍に側壁散水管４０を設け、水４１を側壁３２の外表面に向けて散水するようにしている。
【０００７】
このように、屋根３１周縁に沿って歩廊３３を設けた貯槽では、この屋根３１上の中央部に設けた屋根散水管３８では、側壁３２の外表面の散水には充分ではないため、さらに別途、歩廊３３下部の側壁３２に散水し得るように側壁３２上部近傍にも側壁散水管４０を設ける必要が生じていて、これらの散水設備は大掛かりになってしまった。
【０００８】
この発明は、上述の従来技術が有する課題に鑑みてなされたもので、屋根上に積もる雪を貯槽周囲に落し易くし、また、屋根散水を側壁への散水にも利用して散水設備の効率化と軽減化を図り、さらにまた、散水設備を雪降ろしにも利用可能となるようにした屋根歩廊を提供するものである。
【０００９】
【課題を解決するための手段】
この発明に係る屋根歩廊は、円筒形貯槽の側壁の上部を覆うドーム形状の屋根の周縁近傍の側壁上部に設けた屋根歩廊であって、該屋根歩廊は、前記側壁上部に水平方向に設けた屋根側に位置する可動床体と、該可動床体に隣接し水平方向に設けた固定床体と、該固定床体の外周縁に立設した手摺とから形成され、前記可動床体は前記固定床体の端部の回転支軸に回動自在に取付け、積雪時において該可動床体を上方に向けて回転移動するときは該可動床板を斜めの状態で手摺に支持固定し、該可動床板の裏面に反射面を形成し、かつ前記可動床体と固定床体を支える支持架台を側壁で固定支持するとともに、上記可動床体を回転移動させたときにできる側壁からの隙間は、屋根上に積もった雪が通過可能な間隔で、かつ人が容易に通り抜けができない間隔に形成した空隙であり、さらに屋根上の中央部に散水用の配管を設置したものである。
【００１０】
また、上記可動床体を設けてなる屋根歩廊は、屋根上の中央部及び側壁外周の上部近傍に散水用の配管が設置され、該側壁外周の上部近傍に設置された散水用の配管の水は屋根の接線方向に向けて噴出するように設置したものである。
【００１１】
【発明の実施の形態】
この発明に係る屋根歩廊は、貯槽の屋根周縁に沿う空隙が設けられるように、歩廊床板の一部又は全体を、回転移動、水平移動、或いは着脱移動などの移動が可能な可動床体で形成するもので、その実施形態例について図１乃至図７（ａ），（ｂ）に基づいて説明する。
【００１２】
図１は、円筒形の側壁２の上部を覆うドーム形状の屋根１の周縁近傍の側壁２上部に、屋根歩廊３を設けた平底円筒形貯槽を示すもので、この貯槽の屋根１周縁に沿って空隙８が設けられるように、屋根歩廊３の床板４の一部を、後述の図３に示す移動可能な可動床体１１で形成したものである。なお上記歩廊３は、細かい格子のグレーチング、滑り止め付き板のチェッカードプレート、又は滑り止めを施した平板などの鋼材を用いてその上を人が歩くように水平に設置した床板４と、アングル材、チャンネル材などの形鋼材を用いて床板４の下部を支える支持架台５と、アングル材、チャンネル材などの形鋼材やパイプ材などを用いて水平部材及び垂直部材を組枠し、床板４の外周縁に立設した手摺６とから形成されている。
【００１３】
このように、歩廊３の床板４の一部を移動可能な可動床体１１で形成し、その移動箇所には貯槽の屋根１周縁に沿う空隙８が設けられるので、傾斜した屋根１上を滑って外周方向に移動してきた雪７は、歩廊３の床板４上に溜ることなく、その自重によって、上記床板４に設けた空隙８を通り抜けて貯槽の周囲に滑り落ちる。
【００１４】
図２は、ドーム形状の屋根１上の中央部に散水用の屋根散水管９を設置した貯槽であって、この貯槽に上記図１に示すような、貯槽の屋根１周縁に沿う空隙８が設けられるように床板４の一部を移動可能な可動床体１１で形成した屋根歩廊３を設けたものである。この屋根散水管９から放出された水１０は、屋根１上を外周に向かって拡散した後に、歩廊３の床板４に遮られることなく、上記空隙８を通過して側壁２の外表面を伝わって降下し側壁２外表面全体をも効率良く濡らすことができる。このように、屋根散水管９のみを用いて屋根１及び側壁２の散水ができるので、別途側壁への散水設備を必要とすることなく、屋根散水の有効利用によって散水設備の簡素化、軽減化を図ることができる。
【００１５】
また、上記屋根散水管９から放出される水１０は、屋根１上の中央部近傍の傾斜が緩やかな中央部近傍に積もる雪７に対して、屋根１の上表面を濡らし摩擦抵抗を軽減し、雪７を滑り易くして外周方向に移動させる。よって、屋根散水管９から間欠散水などを行って、屋根１上の中央部近傍に降った雪７も、より滑り易くして、さらに外周部に積もる雪７と一緒に、上記空隙８を通過させて貯槽の周囲に落とすために利用することができる。なお、上記散水に使用する水１０は、地下水など比較的温度の高い水１０を使用した場合には、屋根１上に降る雪７を溶かす融雪装置として利用することもできる。
【００１６】
なお、図１乃至図２に示すこの発明に係る屋根歩廊の実施形態例は、ドーム形状屋根１を有する貯槽に設けた場合について説明したが、円錐形コーン状の屋根、球形屋根、或いは楕円形屋根など傾斜した屋根１を有する貯槽等構造物の屋根周縁に沿って設ける屋根歩廊についても同様に適用することができることは言うまでもない。
【００１７】
図３は、上記図１の屋根歩廊３の近傍を拡大して示すもので、この歩廊３の床板４は、その一部を回転移動可能に形成した可動床体１１と、支持架台５上に固定した固定床体１２とで形成したものである。この可動床体１１は、固定床体１２端部の回転支軸１３に回動自在に取付け、通常時には上部を人が歩くことができるように、設定位置Ａにて水平に設置する。そして降雪時に使用する際には、可動床体１１を設定位置Ａから図のように回転支軸１３を中心に回転させて空隙８を形成し、移動位置Ｂにて手摺６に斜めに支持させて固定する。なお、この空隙８は、積もった雪７が容易に通過可能な間隔で、かつ人は容易に通り抜けができない間隔に形成する。
【００１８】
上記のように、歩廊３の床板４の一部を移動可能な可動床体１１で形成し、その移動箇所に空隙８が設けられているので、屋根１上に積もった雪７が滑って移動してきても歩廊３上に溜ることなく、空隙８を通過して落下させることができる。また、この空隙８からは人が通り抜けることなく安全であって、かつ床板４の上部から手を挿入し、歩廊３下部近傍のメインテナンスが可能となる。
【００１９】
また、図の破線に示すように、可動床体１１を中間位置Ｃにて垂直状態に仮固定し、この仮固定した可動床体１１をガイドにすると、その外周側の手摺６との間の固定床体１２上は、人が通行可能な間隔を有するため、空隙８を設けた後にも点検作業などに安全に使用することができるとともに、可動床体１１の設定及び復旧作業にも使用することができる。
【００２０】
図４は、屋根歩廊３の他の実施形態例を示すもので、床板４の一部を水平移動が可能な可動床体１４で形成したものである。可動床体１４は、設定位置Ａから図のように水平ガイド１６を支えにして水平移動させて空隙８を形成し、移動位置Ｂにて固定床体１５上に載置固定する。なお、この空隙８は、屋根１上に積もった雪７は容易に通過可能な間隔で、かつ人は容易に通り抜けができない間隔に形成する。
【００２１】
上記のように固定床体１５上に水平移動して載置した可動床体１４上面は、人が歩行可能な間隔を有するため、点検作業或いは可動床体１４の設定及び復旧作業などに使用することができる。また、上記空隙８からは、積もった雪７は容易に通過して落下するとともに、この空隙８から人は通り抜ける心配がなく安全で、かつ床板４の上部から手を挿入し、歩廊３下部近傍のメインテナンスも可能となる。
【００２２】
図５は、屋根１の中央部に屋根散水管９を有する貯槽に屋根歩廊３を設けた実施形態例で、図２の一部を拡大して示すものである。床板４は、図３に示すような回転移動が可能な可動床体１１と、支持架台５上に固定した固定床体１２とで形成したものである。図５に示すように、屋根１上中央部近傍及び外周部に積もる雪７、及び屋根散水管９から放出された水１０は、屋根１上面を降下し、可動床体１１を回転移動させて設けた空隙８を通過して落下する。
【００２３】
上記屋根散水管９から放出する水１０は、間欠的に散水するなどして、屋根１上に降る雪７の下面の摩擦抵抗を軽減させて雪７を一層滑り易くすることができる。また、屋根１上を滑って移動してきた雪７は、可動床体１１の裏面の反射面１９に当って跳ね返り集められるので、円滑に空隙８を通過し側壁２の表面に沿って落下する。
【００２４】
なお、上記可動床体１１は、電気或いは空圧又は油圧などによって駆動する回動装置１７によって自動的に回転するように回動支軸１８に取付けた場合には、散水使用時や降雪時などに設定する作業が簡単で容易となる。
【００２５】
図６は、歩廊３下部の側壁２近傍、つまり歩廊３を構成する支持架台５に設置された側壁散水管２０を有する貯槽に、前記屋根歩廊３を設けた実施形態例である。この側壁散水管２０は、側壁２外周の斜め上部に向けて散水するように設置することによって、この側壁散水管２０から放出される水２１は、可動床体１４を水平移動させて形成した空隙８から斜め上方の屋根１の接線方向に向かって噴出されることとなり、屋根１の周縁及び歩廊３上部に積もろうとする雪７を水圧によって打ち飛ばし、水２１と一緒に空隙８を通過し落下させるように形成している。
【００２６】
このように、側壁散水管２０の水２１を屋根１の接線方向に向けて噴出することによって、噴出した水２１は側壁２から跳ね返って外表面から離れて落下することなく、側壁２外表面を充分に濡らしながら落下するので、側壁２の冷却効果が一層向上する。
また、前記した屋根散水による雪の滑り落としに加えて、側壁散水管２０を設けて水２１を空隙８に向けて噴出するので、空隙８近傍に付着しようとする雪７の排除効果もさらに向上する。
【００２７】
図７（ａ），（ｂ）は、床板４全体が移動可能となるように形成した屋根歩廊３の実施形態例を示すものである。この屋根歩廊３は、通常使用する固定手摺２３と、その外周側縁に水平移動可能に収容した外側手摺２４と、床板４全体が水平移動してこの移動箇所に空隙８が形成されるように設けた可動床体２２と、この可動床体２２の下部を支えるとともに水平移動をガイドする水平サポート２５と、その水平サポート２５の外周縁に沿って設けた外周枠２６と、その下部を支持する支持架台２７とから形成する。なお、上記の外側手摺２４は、可動床体２２と一緒に引き出し移動するように形成したが、予め支持架台２７上の水平サポート２５最外縁の外周枠２６上に立設固定しておいてもよい。この場合には、可動床体２２のみを水平方向に引き出し移動させるように形成する。
【００２８】
通常に屋根歩廊３を使用する際には、図７（ａ）の破線に示すように、屋根周縁側部に可動床体２２を固定し、外側手摺２４は固定手摺２３に収容しておく。また、降雪時に積雪７を滑らせて落下させる際、或いは屋根散水を側壁への散水や雪降ろしなどに利用する際には、図７（ａ）の実線、及び図７（ｂ）に示すように、可動床体２２及び外側手摺２４の全体を外周方向に展開するように引き出し水平移動させて空隙８を形成する。
【００２９】
このように、降雪時以外など通常に屋根歩廊３を使用する際には、屋根周縁に可動床体２２を固定して上部を作業や点検用の通路とする。また、降雪時など可動床体２２を移動させて空隙８を設けた際には、（ｂ）に示すように、引き出し移動させた可動床体２２上の固定手摺２３と外側手摺２４に保護された間を、作業や点検用の通路として安全に使用することができる。
【００３０】
なお、上記空隙８内を通って上下に移動し、また空隙８内に位置する水平サポート２５を移動足場などを懸吊りに使用して（図示省略）、道具等の持ち上げ下げや移動、側壁２外表面の点検や補修塗装、側壁散水管２０の点検などの作業に能率良く利用することも可能となる。
【００３１】
なお、上記実施形態例においては、一部が移動可能な回動形式の可動床体１１、又は一部が移動可能な水平移動形式の可動床体１４、或いは全体が移動可能な引き出し移動形式の可動床体２２で形成した場合について説明したが、その他の実施形態例として、可動床体を蓋形式の着脱移動自在な構造（図示省略）としてもよい。この場合には、貯槽の屋根１周縁に沿って設けた空隙８に相当する位置に、着脱移動自在な蓋構造の可動床体を設けるようにする。
【００３２】
【発明の効果】
叙述の説明で明らかなように、この発明に係る屋根歩廊は、該歩廊の床板を貯槽の屋根周縁に沿う空隙が設けられるように、回転移動する可動床板を斜めの状態で手摺に支持固定し、該可動床板の裏面に反射面を形成したので、屋根上及び歩廊上に積もる雪は、歩廊の上に溜ることなく、屋根周縁に沿う空隙を通過して貯槽の周囲に容易に滑り落とすことができる。
よって、屋根及び歩廊は、積雪荷重に対する頑強な構造にすることなく、屋根及び歩廊の構成部材を軽減し経済化を図ることができる。そして、屋根散水管から放出する水は、間欠的に散水するなどして、屋根上に降る雪の下面の摩擦抵抗を軽減させて雪を一層滑り易くすることができる。また、屋根上を滑って移動してきた雪は、可動床体の裏面の反射面に当って跳ね返り集められるので、円滑に空隙を通過し側壁の表面に沿って落下する。
【００３３】
また、上記一部又は全体が移動可能な可動床体は簡単な構造であり、積雪防止に使用する際に容易に設定することができ、また容易に復元することもできる。なお、可動床体を移動させて空隙を設けた後にも、固定床体及び手摺があるので、人が歩いて点検作業を行う歩廊として安全に使用することが可能となる。
【００３４】
また、屋根上の中央部に散水用の配管を設置した貯槽に、上記可動床体で形成した床板を設けた屋根歩廊は、屋根への散水を歩廊の床板に遮られることなく空隙を通過させて、側壁の散水にも効率良く使用することができるので、側壁散水管は削減が可能となり、散水設備の効率化と軽減化を図ることができる。
【００３５】
また、傾斜が緩やかで滑り落ち難い屋根上中央部の雪に対して、屋根散水によって滑り易くし、さらに外周部の雪も滑り落ち易くして、上記屋根周縁に設けた空隙を通過させて貯槽周囲に落とすことができるので、屋根全体にわたる積雪防止の効果が一層向上する。
【００３６】
また、上記屋根散水用の配管と側壁散水用の配管の散水設備を設置した貯槽に、上記可動床体を設けた屋根歩廊は、上記歩廊床板に設けた空隙を利用して屋根散水で側壁に散水するとともに、さらに上記空隙に向けて噴出する側壁散水も加わるので側壁外表面への散水効果が一層向上する。また、歩廊床板に設けた空隙を通過した側壁散水によって、空隙上部の歩廊近傍の雪の打ち落としの効果が高まり、屋根散水と側壁散水の併用による屋根上及び歩廊上の積雪防止効果をさらに向上することができる。
【００３７】
【図面の簡単な説明】
【図１】  この発明に係る屋根歩廊の実施形態例を示す一部を欠除した側断面説明図である。
【図２】  屋根散水管を有する貯槽に、図１の屋根歩廊を設けた場合の実施形態例を示す一部を欠除した側断面説明図である。
【図３】  この発明に係る屋根歩廊の床板を、回転移動が可能な可動床体で形成した実施形態例の一部を拡大して示す側断面説明図である。
【図４】  この発明に係る屋根歩廊の床板を、水平移動が可能な可動床体で形成した実施形態例の一部を拡大して示す側断面説明図である。
【図５】  屋根散水管を有する貯槽に、この発明に係る屋根歩廊を設けた実施形態例の一部を拡大して示す側断面説明図である。
【図６】  側壁散水管を有する貯槽に、この発明に係る屋根歩廊を設けた実施形態例の一部を拡大して示す側断面説明図である。
【図７】  床板全体を移動可能な可動床体で形成したこの発明に係る屋根歩廊の実施形態例で、（ａ）は一部を拡大して示す側断面説明図、（ｂ）はその斜視説明図である。
【図８】  従来の屋根歩廊を設けた貯槽における積雪の状況を示す側面説明図である。
【図９】  屋根散水管及び側壁散水管を有する貯槽における従来の屋根歩廊と、その散水状況を示す側面説明図である。
【符号の説明】
１  屋根                ２  側壁                ３  歩廊
４  床板                ５  支持架台            ６  手摺
７  雪                  ８  空隙                ９  屋根散水管
１０  水                １１  可動床体          １２  固定床体
１３  回転支軸          １４  可動床体          １５  固定床体
１６  水平ガイド
Ａ  設定位置            Ｂ  移動位置            Ｃ  中間位置
１７  回動装置          １８  回動支軸          １９  反射面
２０  側壁散水管        ２１  水                ２２  可動床体
２３  固定手摺          ２４  外側手摺          ２５  水平サポート
２６  外周枠            ２７  支持架台
３１  屋根              ３２  側壁              ３３  歩廊
３４  床板              ３５  支持架台          ３６  手摺
３７  雪                ３８  屋根散水管        ３９  水
４０  側壁散水管        ４１  水
【図１】
0004423578.tif 000002
【図２】
0004423578.tif 000003
【図３】
0004423578.tif 000004
【図４】
0004423578.tif 000005
【図５】
0004423578.tif 000006
【図６】
0004423578.tif 000007
【図７】
0004423578.tif 000008
【図８】
0004423578.tif 000009
【図９】
0004423578.tif 000010